(57)【要約】    【課題】  遊技機本体と開閉扉との隙間からピアノ線、セル板などの不正部材を挿入しても、開閉扉の内側での遊技領域側への不正部材の挿入を阻止でき、遊技領域内での不正行為を未然に防止できるようにする。    【解決手段】  遊技機本体１の前面に、この遊技機本体１側の遊技盤６の遊技領域２４を透視可能な透明板２９を有し且つ遊技盤６を前側から覆う開閉扉７を配置し、遊技領域２４を透視可能な透明板３７を有し且つ遊技領域２４を前側から覆う内扉８を、開閉扉７と遊技盤６との間で遊技機本体１に開閉自在に設けたものである。【選択図】    図４
2010115515.tif 000002
【特許請求の範囲】
【請求項１】
遊技機本体（１）の前面に、該遊技機本体（１）側の遊技盤（６）の遊技領域（２４）を透視可能な透明板（２９）を有し且つ前記遊技盤（６）を前側から覆う開閉扉（７）を配置した遊技機において、前記遊技領域（２４）を透視可能な透明板（３７）を有し且つ前記遊技領域（２４）を前側から覆う内扉（８）を、前記開閉扉（７）と前記遊技盤（６）との間で前記遊技機本体（１）に開閉自在に設けたことを特徴とする遊技機。
【請求項２】
前記内扉（８）は前記遊技盤（６）に対して前記開閉扉（７）と同じ側でヒンジ（１０）により前記遊技機本体（１）に開閉自在に枢着されていることを特徴とする請求項１に記載の遊技機。
【請求項３】
前記内扉（８）は前記開閉扉（７）のヒンジ（９）よりも前記遊技盤（６）に近い側のヒンジ（１０）により開閉自在に枢着されていることを特徴とする請求項１又は２に記載の遊技機。
【請求項４】
前記内扉（８）は外周側が前記遊技機本体（１）に当接又は近接していることを特徴とする請求項１〜３に記載の遊技機。
【請求項５】
前記内扉（８）は閉状態のときに前記遊技機本体（１）側の開口（４８）内に嵌合していることを特徴とする請求項１〜３に記載の遊技機。
【発明の詳細な説明】
【技術分野】
【０００１】
本発明は、弾球遊技機などの遊技機に関し、遊技機本体と開閉扉との隙間から遊技盤の遊技領域へとピアノ線、セル板などの不正部材を挿入する不正行為を防止できるようにしたものである。
【背景技術】
【０００２】
遊技球を使用してゲームを行う遊技機には、パチンコ機に代表される弾球遊技機などがある。この種の遊技機は、外枠と、基部側が外枠に開閉自在に枢着された内枠とにより遊技機本体を構成し、その内枠の上部前面に、遊技盤を前側から覆う開閉式のガラス扉を配置し、また内枠の下部前面に、遊技盤へと遊技球を発射する発射手段などを前側から覆う開閉式の前面扉を設けている。
【０００３】
通常、ガラス扉はその上下両端部に配置された上下一対のヒンジを介して内枠に開閉、着脱自在に取り付けられている。しかし、ガラス扉の基部側と内枠との間に隙間があれば、その隙間から遊技盤の遊技領域へとピアノ線、セル板などの不正部材を挿入して、遊技釘を曲げたり遊技球を入賞手段へと案内したりする不正行為を招く惧れがある。
【０００４】
そこで、従来は内枠とガラス扉との夫々に、相手側に突出し且つガラス扉を閉じたときに左右に接近して重なる突出壁を設けたり（特許文献１）、内枠とガラス扉との一方に溝を、他方にガラス扉を閉じたときに先端部が溝に嵌合する突出壁を夫々設けたりして（特許文献２）、内枠とガラス扉との間に極力隙間ができないようにしている。
【先行技術文献】
【特許文献】
【０００５】
【特許文献１】特開２００５−１６８７１７号公報
【特許文献２】特開２００４−６５９３５号公報
【発明の概要】
【発明が解決しようとする課題】
【０００６】
従来の構造では、ヒンジはガラス扉の上下両端部のみであるため、内枠とガラス扉との隙間にドライバなどを挿入して、このドライバなどを梃子としてガラス扉の基部側に前方向の外力を加えると、その上下方向の中央部分が前方へと突出するようにガラス扉自体の基部側が弓なりに湾曲して、内枠とガラス扉との間に隙間ができ、その隙間からピアノ線、セル板などを挿入される惧れがある。
【０００７】
また突出壁の高さを大にして、ガラス扉が多少湾曲しても隙間が生じないようにすることも可能である。しかし、突出壁の高さが大になれば、突出壁がガラス扉の裏面から後方へと大きく突出するため、この突出壁が損傷し易くなるという問題がある。
【０００８】
従って、従来の構造は何れの場合にも種々の問題があり、不正行為の十分な防止対策とはなり得ないものである。
【０００９】
本発明は、このような従来の問題点に鑑み、遊技機本体と開閉扉との隙間からピアノ線、セル板などの不正部材を挿入しても、開閉扉の内側で遊技盤の遊技領域側への不正部材の挿入を阻止でき、遊技盤の遊技領域内での不正行為を未然に防止できる遊技機を提供することを目的とする。
【課題を解決するための手段】
【００１０】
本発明は、遊技機本体１の前面に、該遊技機本体１側の遊技盤６の遊技領域２４を透視可能な透明板２９を有し且つ前記遊技盤６を前側から覆う開閉扉７を配置した遊技機において、前記遊技領域２４を透視可能な透明板３７を有し且つ前記遊技領域２４を前側から覆う内扉８を、前記開閉扉７と前記遊技盤６との間で前記遊技機本体１に開閉自在に設けたものである。
【発明の効果】
【００１１】
本発明では、遊技機本体と開閉扉との隙間からピアノ線、セル板などの不正部材を挿入しても、開閉扉の内側で遊技盤の遊技領域側への不正部材の挿入を阻止でき、遊技盤の遊技領域内での不正行為を未然に防止できる利点がある。
【図面の簡単な説明】
【００１２】
【図１】本発明の第１の実施例を示すパチンコ機の正面図である。
【図２】同パチンコ機の分解斜視図である。
【図３】同ガラス扉の分解斜視図である。
【図４】同パチンコ機の平面断面図である。
【図５】同要部の側面断面図である。
【図６】本発明の第２の実施例を示すパチンコ機の平面断面図である。
【図７】同内扉の枢支部の分解斜視図である。
【図８】同押圧部材部分の拡大断面図である。
【図９】本発明の第３の実施例を示すパチンコ機の平面断面図である。
【図１０】本発明の第４の実施例を示すパチンコ機の平面断面図である。
【図１１】本発明の第５の実施例を示すパチンコ機の平面断面図である。
【図１２】本発明の第６の実施例を示すパチンコ機の平面断面図である。
【発明を実施するための形態】
【００１３】
以下、本発明の各実施例を図面に基づいて詳述する。図１〜図５は本発明をパチンコ機に採用した第１の実施例を例示している。図１〜図５において、遊技機本体１は、矩形状の外枠２と、この外枠２の前側に配置された内枠３とを備えている。内枠３は左右方向の一側の基部が外枠２の前側で上下一対の第１ヒンジ４により縦軸心廻りに開閉、着脱自在に枢着され、基部側と反対の遊端側が施錠手段５により外枠２に施錠されている。
【００１４】
内枠３には遊技盤６が装着されると共に、遊技盤６を前側から覆うガラス扉７、内扉８が第２ヒンジ９、第３ヒンジ１０を介して開閉自在に枢着され、またガラス扉７の下側に前面扉１１が第４ヒンジ１２により開閉自在に枢着されている。第２ヒンジ９、第４ヒンジ１２の軸心は、第１ヒンジ４と略同一となっている。
【００１５】
内枠３は左右両側に配置された上下方向の側枠部１８，１９と、両側枠部１８，１９の上端間を左右方向に連結する上枠部２０と、両側枠部１８，１９の下部側に左右方向に配置された下枠部２１とを有し、これらの枠部１８〜２１間に形成された矩形状の遊技盤装着部２２が形成されている。
【００１６】
また内枠３の下枠部２１には遊技盤６側へと遊技球を発射する発射手段１４などが装着され、その下側に余剰球を貯留する下皿１３、発射手段１４用の発射ハンドル１５、灰皿１６などが配置されている。なお、発射手段１４などを有する下枠部２１は前面扉１１により前側から覆われている。前面扉１１には発射用の遊技球を貯留する供給皿１７が装着されている。
【００１７】
遊技盤６には発射手段１４から発射された遊技球を遊技領域２４へと案内するガイドレール２５が環状に装着され、また遊技領域２４内には画像表示手段、大入賞手段などの各種の遊技部品、或いは遊技釘（何れも図示省略）などが設けられている。そして、遊技盤６は図４、図５に示すように、遊技盤装着部２２に着脱自在に装着されている。なお、遊技盤６は遊技盤装着枠２２に対して前側から着脱自在に装着してもよい。
【００１８】
ガラス扉７は第３ヒンジ１０を含む内扉８を前側から覆う大きさであって、図３〜図５に示すように遊技盤６に対応する窓孔２６を有する扉枠２７と、この扉枠２７の裏面に装着された補強板２８と、扉枠２７の前面に装着された化粧カバー２３と、補強板２８の裏面に装着されたガラス板２９とを備え、左右方向の一端の基部側が上下両端部の第２ヒンジ９により内枠３に開閉、着脱自在に枢着され、また基部側と反対の遊端側が施錠機構３０により内枠３に施錠されている。
【００１９】
ガラス板２９は遊技盤６の遊技領域２４を透視可能な透明板を構成するもので、矩形状となっている。そして、このガラス板２９の外周には、その上辺を除く全周縁に保持枠３２が装着されており、その保持枠３２の取り付け片３３が周方向に複数のネジなどの固定手段３４により補強板２８に着脱自在に固定されている。
【００２０】
ガラス扉７の裏側には、施錠機構３０側の保持枠３２などに係合部４１が設けられており、ガラス扉７を閉じたときに、その係合部４１に施錠機構３０が係脱自在に係合してガラス扉７を施錠するようになっている。
【００２１】
なお、内枠３の側枠部１８には、この側枠部１８とガラス扉７の基部側との間の隙間を塞ぐように保護カバー３１が、その前面側の外側縁に沿ってガラス扉７の上下方向の略全長に設けられている。保持枠３２はガラス板２９の全周にあってもよい。また保持枠３２をガラス扉７の裏側に備えておき、その保持枠３２に上側などの所定方向からガラス板２９を挿脱自在に挿入するようにしてもよい。
【００２２】
遊技盤装着部２２の前側には、図２、図４、図５に示すように、遊技盤６の前側外周を取り囲む周壁部３５が設けられている。この周壁部３５は遊技盤６に対応して矩形状であり、この周壁部３５の遊技盤６から前側への突出量は、ガイドレール２５などの突出量よりも若干大となっている。そして、この周壁部３５の前側に内扉８の取り付け部３６が設けられ、取り付け部３６の前面に外周が当接（又は近接）するように内扉８が開閉自在に配置されている。
【００２３】
内扉８は遊技盤６を前側から覆うもので、図２、図４、図５に示すように、遊技盤６の遊技領域２４を透視可能な透明板である矩形状のガラス板３７と、このガラス板３７の周縁部を保持する保持枠３９とを備えている。そして、この内扉８は左右方向の一端の基部側が第３ヒンジ１０により取り付け部３６の一側縁に開閉自在に枢着され、閉じたときに取り付け部３６の前面に当接して遊技盤６を前側から覆うようになっている。
【００２４】
第３ヒンジ１０は遊技盤６に対してガラス扉７の第２ヒンジ９と同じ側において、第２ヒンジ９より後方側で左右方向の内側に配置されており、第２ヒンジ９よりも遊技盤６に近い側に位置している。
【００２５】
ガラス扉７の裏側には図３〜図５に示すように、ガラス扉７を閉じたときに内扉８を内枠３の取り付け部３６側へと押圧して、内扉８を閉状態に固定するための押圧部材４０が設けられている。この押圧部材４０は例えばガラス板２９の裏側で保持枠３２の第２ヒンジ９側及び上辺側を除く二辺にその長手方向の略全長に設けられており、ガラス扉７を閉じたときに、内扉８の保持枠３９の二辺を前側から押圧するようになっている。
【００２６】
なお、押圧部材４０は保持枠３９の遊端側の一辺の略全長、又はその上下方向の中央部などの一部分に対応して設けてもよい。また押圧部材４０は保持枠３９の第３ヒンジ１０側を除く三辺、或いは全周に対応して設けてもよい。保持枠３２，３９、押圧部材４０は板金製、合成樹脂製などが適当である。
【００２７】
このように構成すれば、内扉８を閉じた後、ガラス扉７を閉じて施錠機構３０によって施錠することにより、ガラス扉７の押圧部材４０が内扉８を取り付け部３６側に押圧するため、内扉８を閉状態に固定できる。また遊技盤６の遊技釘などに遊技球が引っ掛かった場合には、ガラス扉７の施錠を解除してガラス扉７を開放すれば、内扉８の固定を解除できるので、内扉８を第３ヒンジ１０廻りに容易に開放でき、遊技領域２４側のメンテナンスも容易に行うことができる。
【００２８】
ガラス扉７、内扉８を閉じた状態において、内枠３とガラス扉７との隙間、例えばガラス扉７の基部側の隙間などからピアノ線、セル板などの不正部材を挿入するようなことがあっても、ガラス扉７の内側には遊技盤６を前側から覆う内扉８があるため、この内扉８により不正部材の遊技領域２４内への挿入を阻止できる。従って、遊技領域２４への不正部材の挿入による不正行為を未然に防止できる。
【００２９】
またガラス扉７のガラス板２９を保持する保持枠３２に押圧部材４０を設け、この押圧部材４０により内枠３を押圧して固定しているため、内扉８用の施錠手段を設ける必要がなく構造的にも簡単にできる。しかも、内扉８は閉じたときに外周が内枠３の取り付け部３６の前面に近接（又は当接）しているため、この内扉８と取り付け部３６との間から不正部材が挿入されるなどの惧れもない。更に押圧部材４０を内扉８の二辺に対応してその長手方向の略全長に設けることにより、内扉８を確実に取り付け部３６側に押圧できる。なお、押圧部材４０は、内扉８の二辺の略全長に対応して所定間隔をおいて複数個設けてもよい。
【００３０】
図６〜図８は本発明の第２の実施例を例示する。この実施例では、内扉８はその基部側が上下一対の第３ヒンジ１０を介して内枠３に開閉、着脱自在に取り付けられている。またガラス扉７の保持枠３２の側面に施錠用の係合部４１のブラケット４２があり、そのブラケット４２の後端の屈曲部４３に形成された取り付け孔４３ａに、ナイロンその他の合成樹脂製の緩衝性を有する押圧部材４０が裏側から着脱自在に挿入されている。
【００３１】
なお、押圧部材４０は屈曲部４３に接着その他の手段で装着してもよい。また押圧部材４０は内扉８の遊端側に対応して、その上下方向の中央部分に１個設けてもよいし、上下方向に所定の間隔をおいて複数設けてもよい。
【００３２】
第３ヒンジ１０は内枠３の取り付け部３６に固定された固定ブラケット４４と、内扉８に固定された可動ブラケット４５とを有する。上側のヒンジ１０には固定ブラケット４４にピン孔４４ａが、可動ブラケット４５に下向きのヒンジピン４５ｂが夫々設けられ、また下側のヒンジ１０には固定ブラケット４４に上向きのヒンジピン４４ｂが、可動ブラケット４５にピン孔４５ａが夫々設けられている。そして、これらのピン孔４４ａ，４５ａにヒンジピン４４ｂ，４５ｂを挿入するようになっている。
【００３３】
このようにすれば、ガラス板３７が損傷した場合には、内扉８を容易に交換できる。また緩衝性を有する押圧部材４０を使用することにより、ガラス扉７を閉じるときの衝撃を緩和できると共に、内扉８のガタツキなどを防止できる。
【００３４】
図９は本発明の第３の実施例を例示する。この実施例では、内枠３は外枠２の前側に配置された前枠部４６と、この前枠部４６の裏側に固定され且つ外枠２内に嵌合する遊技盤装着枠４７とを有し、遊技盤装着枠４７の前端部が、遊技盤６の遊技領域２４に対応する開口４８を取り囲む矩形状の取り付け部３６となっている。
【００３５】
そして、内扉８は開口４８に前側から嵌脱自在に嵌合するように、第３ヒンジ１０により取り付け部３６に開閉自在に枢着されている。遊技盤装着枠４７には、内扉８の遊端側を開口４８の裏側から受ける受け部４９が上下方向の略全長に形成されている。受け部４９は開口４８の全周、又は第３ヒンジ１０側を除く全周に設けてもよい。押圧部材４０は保持枠３２に固定されたブラケット４２の後端に設けられている。
【００３６】
このように内扉８は、閉じたときに開口４８内に嵌合するように設けてもよい。この場合には、取り付け部３６の前面に内扉８が当接又は近接する場合に比して、不正部材の挿入を更に難しくできる。
【００３７】
図１０は本発明の第４の実施例を例示する。この実施例では、内枠３は前側に突出する周壁部３５を有し、この周壁部３５の前端に、遊技盤６の遊技領域２４に対応する開口４８を取り囲む取り付け部３６が設けられている。そして、第２の実施例と同様に、その取り付け部３６の開口４８内に内扉８が配置されている。
【００３８】
内扉８は第３ヒンジ１０により取り付け部３６に開閉自在に枢着されている。ガラス扉７は内扉８の周壁部３５を取り囲む大きさであり、閉じたときに周壁部３５がガラス扉７の後端縁よりも前側に嵌合するようになっている。そして、ガラス扉７はその基部側の後端部で第２ヒンジ９により内枠３に開閉自在に枢着されている。
【００３９】
この場合にも、各実施例と同様に不正部材の挿入を防止できる。またガラス扉７内に突出する周壁部３５が内枠３側にあり、不正行為を行う場合には、この周壁部３５を超えて取り付け部３６と内扉８との間から遊技領域２４へと不正部材を挿入する必要がある。従って、ピアノ線などの挿入による不正行為を確実に防止できる。
【００４０】
図１１は本発明の第５の実施例を例示する。この実施例では、内枠３の遊技盤装着部２２は前側が開放しており、その遊技盤装着部２２に遊技盤６が前側から着脱自在に装着されている。このような場合には、遊技盤装着部２２の外周側に取り付け部３６を設けて、その取り付け部３６に内扉８を取り付ければよい。
【００４１】
なお、この実施例では、内扉８は内枠３の開口４８内に前側から嵌合するように、基部側の第３ヒンジ１０により開閉自在に枢着されている。
【００４２】
図１２は本発明の第６の実施例を例示する。この実施例では、内扉８のヒンジ１０は開閉扉７のヒンジ９と反対側に配置され、開閉扉７と内扉８とが左右のヒンジ９，１０廻りに逆向きに開閉するようになっている。開閉扉７（例えば保持枠３２）には内扉８の遊端側に対応して押圧部材４０が設けられている。
【００４３】
このようにすれば、開閉扉７と内扉８との開閉方向が異なるため、図１２に仮想線で示すように開閉扉７を大きく開放しない限り、内扉８を開放することが困難になる。従って、開閉扉７、内扉８を開けて遊技盤６の遊技釘を曲げる等の不正行為を行うにも、開閉扉７、内扉８を大きく開放する必要があって、不正行為自体が困難となる上に、開閉扉７、内扉８の開放状態から不正行為の発見も容易になる利点がある。
【００４４】
以上、本発明の実施例について詳述したが、本発明はこれらの実施例に限定されるものではなく、本発明の趣旨を逸脱しない範囲で種々の変更が可能である。例えば、開閉扉としてガラス板２９を備えたガラス扉７を例示し、また内扉８にもガラス板３７を備えたものを例示しているが、ガラス板以外の透明板を使用したものでもよい。ガラス扉７と内扉８は両者が独立し、ガラス扉７と内枠３との隙間を小さくしながら、ガラス扉７により第３ヒンジ１０を含む内扉８側の全体を覆う関係にあれば、どのような形状、構造でもよい。
【００４５】
ガラス扉７で内扉８を覆う場合に、内枠３及びガラス扉７間の隙間（特に不正部材の挿入時の出口側となる隙間）と、内枠３及び内扉８間の隙間（特に不正部材の挿入時の入口側となる隙間）とを結ぶ線分を横切る突出部などの障害部を、内扉８の左右両側の上下方向の略全長、内扉８の四辺の略全周、又は上辺を除く略全周に設けることが望ましい。その場合の障害部は、不正部材の挿入時の障害となるものであれば、内枠３、ガラス扉７、内扉８の何れから突出する構造でもよい。
【００４６】
また内扉８の第３ヒンジ１０は、ガラス扉７の第２ヒンジ９よりも内側に配置し、例えば内扉８の第３ヒンジ１０をガラス扉７の第２ヒンジ９よりも後方又は前方に配置するなど、両ヒンジ９，１０の中心を前後方向にずらせることが望ましい。
【００４７】
ガラス扉７の第２ヒンジ９と内扉８の第３ヒンジ１０が左右方向の同一面上にあり、その両ヒンジ９，１０間に内枠３の前面から突出する突出部などの障害部がない場合には、内扉８は取り付け部３６の内周の開口４８に嵌合するなど、内枠３とガラス扉７の隙間と、内枠３と内扉８の隙間との方向を異ならせることが望ましい。
【００４８】
内扉８は閉状態のときにガラス扉７側の押圧部材４０で押圧して固定しているが、内扉８の遊端側に対応して内扉８に回動式その他の締結部材又はロック部材を設け、内扉８を閉じた後に締結部材又はロック部材で締結又はロックすることにより固定してもよい。
【００４９】
開閉扉の透明板、内扉８の透明板は１枚でもよいし、２枚以上の複数枚でもよい。遊技機本体１は外枠２と内枠３とが一体構造のものでもよい。その他、本発明はパチンコ機に限らず、アレンジボール機、雀球遊技機などの各種の弾球遊技機、更にはその他の遊技機においても同様に実施可能である。
【符号の説明】
【００５０】
１  遊技機本体
３  内枠
６  遊技盤
７  開閉扉
８  内扉
９  第２ヒンジ
１０  第３ヒンジ
２４  遊技領域
２９  ガラス板（透明板）
４８  開口
【図１】
2010115515.tif 000003
【図２】
2010115515.tif 000004
【図３】
2010115515.tif 000005
【図４】
2010115515.tif 000006
【図５】
2010115515.tif 000007
【図６】
2010115515.tif 000008
【図７】
2010115515.tif 000009
【図８】
2010115515.tif 000010
【図９】
2010115515.tif 000011
【図１０】
2010115515.tif 000012
【図１１】
2010115515.tif 000013
【図１２】
2010115515.tif 000014
【手続補正書】
【提出日】平成22年1月29日(2010.1.29)
【手続補正１】
【補正対象書類名】特許請求の範囲
【補正対象項目名】全文
【補正方法】変更
【補正の内容】
【特許請求の範囲】
【請求項１】
遊技機本体（１）の前面に、該遊技機本体（１）に装着された遊技盤（６）の遊技領域（２４）を透視可能な透明板（２９）を有し且つ前記遊技盤（６）を前側から覆う開閉扉（７）を配置した遊技機において、前記遊技領域（２４）を透視可能な透明板（３７）を有し且つ前記遊技領域（２４）を前側から覆う内扉（８）を、前記開閉扉（７）と前記遊技盤（６）との間で前記遊技機本体（１）に開閉自在に設け、前記遊技盤（６）の前側外周を取り囲む周壁部（３５）を、前記遊技機本体（１）から前向きに突出して前記開閉扉（７）内に達するように設け、前記周壁部（３５）の前端側に設けられた開口（４８）内に前記内扉（８）を配置したことを特徴とする遊技機。
【請求項２】
前記開閉扉（７）と前記内扉（８）とは、前記遊技盤（６）に対して左右方向の同一側において個別のヒンジ（９）（１０）により前記遊技機本体（１）に開閉自在に枢着されており、前記開閉扉（７）のヒンジ（９）よりも前記内扉（８）のヒンジ（１０）の方が前側に配置されていることを特徴とする請求項１に記載の遊技機。
【手続補正２】
【補正対象書類名】明細書
【補正対象項目名】００１０
【補正方法】変更
【補正の内容】
【００１０】
本発明は、遊技機本体１の前面に、該遊技機本体１に装着された遊技盤６の遊技領域２４を透視可能な透明板２９を有し且つ前記遊技盤６を前側から覆う開閉扉７を配置した遊技機において、前記遊技領域２４を透視可能な透明板３７を有し且つ前記遊技領域２４を前側から覆う内扉８を、前記開閉扉７と前記遊技盤６との間で前記遊技機本体１に開閉自在に設け、前記遊技盤（６）の前側外周を取り囲む周壁部（３５）を、前記遊技機本体（１）から前向きに突出して前記開閉扉（７）内に達するように設け、前記周壁部（３５）の前端側に設けられた開口（４８）内に前記内扉（８）を配置したものである。
【手続補正３】
【補正対象書類名】明細書
【補正対象項目名】００１５
【補正方法】変更
【補正の内容】
【００１５】
内枠３は左右両側に配置された上下方向の側枠部１８，１９と、両側枠部１８，１９の上端間を左右方向に連結する上枠部２０と、両側枠部１８，１９の下部側に左右方向に配置された下枠部２１とを有し、これらの枠部１８〜２１間に矩形状の遊技盤装着部２２が形成されている。
【手続補正４】
【補正対象書類名】明細書
【補正対象項目名】００３７
【補正方法】変更
【補正の内容】
【００３７】
図１０は本発明の第４の実施例を例示する。この実施例では、内枠３は前側に突出する周壁部３５を有し、この周壁部３５の前端に、遊技盤６の遊技領域２４に対応する開口４８を取り囲む取り付け部３６が設けられている。そして、第３の実施例と同様に、その取り付け部３６の開口４８内に内扉８が配置されている。